(57)【要約】【課題】手荷物などを紐材により肩に掛けて持ち歩く場合に，紐材が肩から簡単に外れて何度も掛けなおしたり，落ちないように手で押さえたりなど，大変煩わしい。かかる問題を解決するために，簡単にセットされ，外れ難い小型な肩掛け保持具を提案する。【解決手段】磁石を内装して合成ゴムや合成樹脂などの摩擦性に富んだ素材で被覆し，肩の湾曲形状に沿って装着し易い形状に形成された内装部材と外装部材で構成され，着衣を挟んで下面に内装部材を，上面に外装部材を装着した状態で，相互に吸引し合う磁極面に設定し，両方または何れか一方の，肩の外側方向に滑り止め構造を設けることにより，セットが簡単で小型な肩掛け保持具。【選択図】図１
0003137115.tif 000002
【実用新案登録請求の範囲】
【請求項１】
磁石を内装して合成ゴムや合成樹脂などで被覆し，肩の湾曲形状に沿って装着し易い形状に形成された内装部材と外装部材で構成される保持具に関し，着衣を挟んで下面に内装部材を，上面に外装部材を装着した状態で，磁石が相互に吸引し合う磁極面に設定し，両方または一方の，肩の外側方向に滑り止め構造を設けることにより，手荷物などに連結される紐材などを掛けた状態で，手荷物が肩から滑り落ちること無く保持される，セットが簡単で小型な肩掛け保持具。
【請求項２】
手荷物などに連結される紐材を保持するストッパーを外装部材に備えた，請求項１に記載する肩掛け保持具。
【請求項３】
引っ掛け部材を有する紐材を外装部材に備えた，請求項１に記載する肩掛け保持具。
【請求項４】
上記する内装部材と外装部材の何れか一方に磁石を，他方に強磁性体を内装する請求項１に記載する肩掛け保持具。
【請求項５】
上記する内装部材と外装部材の何れか一方に磁石を，他方に強磁性体を内装する請求項２に記載する肩掛け保持具。
【請求項６】
上記する内装部材と外装部材の何れか一方に磁石を，他方に強磁性体を内装する請求項３に記載する肩掛け保持具。
【考案の詳細な説明】
【技術分野】
【０００１】手荷物などを紐材により肩に掛けて保持する肩掛け部材に関し，磁石が内装された内装部材と外装部材で構成され，内装部材，着衣，外装部材の順に肩部に重ねて装着することにより，内装部材と外装部材は着衣を挟んで磁力により吸引保持されて固定される。この状態で，外装部材に手荷物に連結される紐などを引っ掛けることにより，手荷物が肩から滑り落ちること無く保持される，セットが簡単で小型な肩掛け保持具。
【背景技術】
【０００２】手荷物などを紐材により一方の肩に掛けて持ち歩く場合に，紐材が肩から簡単に外れて何度も掛けなおしたり，落ちないように手で押さえたり，身体に対して紐材を斜めに掛けたりなどの工夫をするものの，常に気になり大変煩わしい。このような欠点を解決するために，紐材の肩に当たる部分に滑り止め加工を施す方法や，手荷物を脇で挟み込んで保持する構造など種々の改善が提案されているが，何れの方法も，特に，肩を傾斜させた場合や，肩を回した時などに紐材が簡単に滑り落ちてしまう欠点を有しており，肩からの滑り落ちを防ぐ手段としては不十分である。
【考案が解決しようとする課題】
【０００３】手荷物などを紐材により肩に掛けて持ち歩く場合に，肩を傾斜させた場合や，肩を回した時などに紐材が簡単にずり落ちてしまう欠点を解決して，容易にずり落ちることが無く，セットが簡単で小型な肩掛け保持具を提案する。
【課題を解決するための手段】
【０００４】磁石を内装して合成ゴムや合成樹脂などの摩擦性に富んだ素材で被覆し，肩の湾曲形状に沿って装着し易い形状に形成された内装部材と外装部材で構成され，着衣を挟んで下面に内装部材を，上面に外装部材を装着した状態で，相互に吸引し合う磁極面に設定し，両方または何れか一方の肩の外側方向に滑り止め構造を設けることにより，セットが簡単で小型な肩掛け保持具を実現する。
【考案の効果】
【０００５】本提案の肩掛け保持具は，磁力を利用して着衣に装着し，手荷物などに連結される紐材を掛けて保持する構造であるため，取り付け，取り外しが極めて簡単であり，着衣を内外両面から挟み込むことにより保持具の着衣への装着は確実である。磁石は合成ゴムまたは合成樹脂などで被覆されているため，着衣との摩擦性に優れるとともに，着衣や肌に傷を付けることも無く，肩の湾曲形状に対して装着し易い形状に形成されているため，肩や着衣への接触性は強い。
【０００６】さらに，両方または何れか一方の肩の外側方向に滑り止め構造が設けられているため，内装部材の滑り止め構造により外装部材の滑りが防がれ，外装部材の滑り止め構造により手荷物などに連結される紐材の滑りが防がれ，肩を斜めに下げても紐は外れ難い。さらに，内装部材と外装部材は連結材の取り付け部で相互に鎖や紐材などで繋ぐことにより，着衣への装着時や取り外し時に，脱落したり離散することが無いなど，セットが簡単で小型な肩掛け保持具が実現され
る。
【考案を実施するための最良の形態】
【０００７】図１に本考案による肩掛け保持具を肩部の着衣２に装着した概観斜視図を示す。保持具は，内装部材１と外装部材３で構成され，いずれも，磁石を内装し，肩への適合性，着衣への接触性を高めるため，肩の湾曲形状に沿って装着し易い形状になっており，さらに，適度な摩擦力を有し，身体や着衣に傷を付けないゴム材や樹脂で被覆されている。着衣２を挟んで肩部着衣の下面に内装部材１を，肩部着衣の上面に外装部材３を重ねて装着することにより，内装部材１と外装部材３は着衣２の両面から磁力により吸引保持される。内装部材，外装部材の両方に磁石を使用する場合は，両方を重ねた場合に向き合う面が吸引しあう磁極の組み合わせにする。（Ｎ極とＳ極，またはＳ極とＮ極を対向させる）ただし一方に強磁性体を使用する場合は磁石の極は任意で良い。４は手荷物に連結された紐材を示す。【０００８】図２に内装部材の概観斜視図を示す。内装部材１は磁石７をシリコンゴムで被覆し，肩の形状に沿わせるために前後方向に湾曲している。一般的に肩は外側方向５に向かって下り傾斜となる傾向があり，紐材を肩に掛けた場合に外れやすい原因ともなっているため，肩の外側方向５に向けて上り傾斜となっているとともに，端部には滑り止め突起６が設けられているため，着衣の上に外装部材を重ねた場合に，外装部材の肩の外側方向５に向けての滑り，脱落が防がれる。９は外装部材と連結するための鎖または紐材の取り付け部を示す。【０００９】図３に外装部材の概観斜視図を示す。外装部材３は磁石１１をシリコンゴム材で被覆し，肩ならびに内装部材の形状に適応させる形状となっており，肩の外側方向５に滑り止め突起８が設けられているため，手荷物に連結される紐材を装着した場合に，肩の外側方向５に向けての滑り，脱落が防がれる。１０は内装部材と連結するための鎖または紐材の取り付け部を示す。【００１０】図４は外装部材３に手荷物などに連結される紐材を保持する合成樹脂または金属などからなる板バネ状のストッパー１２に手荷物の紐材１３を装着した概観斜視図である。肩の外側方向への滑り止め突起は内装部材に設けられている。図５は外装部材３に合成樹脂または金属などからなる長さ調整具１６と，フック状の引っ掛け部材１５を有するビニール材などからなる吊り下げ紐材１４備えた外観斜視図を示す。手荷物，傘，ペットボトルなど置き場に困る対象を引っ掛け部材１５に引っ掛けて吊るす。１７は吊り下げ紐材の外装部への取り付け部を示す。肩の外側方向への滑り止め突起は内装部材に設けられている。
【実施例】
【００１１】内装部材，外装部材は（肩幅方向の幅）×（肩厚方向の幅）×（厚さ）を６×４×０．６ｃｍとしてシリコンゴムで形成したが，摩擦性に優れる材質であれば良く，合成ゴム，合成樹脂などでも良い。各種ディメンジョンは素材，磁性材の磁力，ならび紐材の厚さや幅などで最適化するとともに，吊り下げ紐材は，帯状の紐，丸紐，鎖などでも良く，長さ調節具，引っ掛け部材は合成樹脂で形成したが，金属でも良く，シンプルな形状のフックではなく，指でロックを解除して手荷物を引っ掛けたり外したりするロック機構付のフックであれば，引っ掛けた手荷物は簡単には脱落しない。ストッパーはバネ材に限らずホック形式や，スリット形式でも良い。【００１２】内装部材，外装部材の吸引材としては，ともに磁石，または一方が磁石で他方が強磁性体でも良い。内装部材，外装部材は装着時や装着状態で脱落することも有り得るため，相互を適切な長さの鎖や紐などの連結材で繋ぎ，連結材は襟を介して装着することが望ましい。以上のように，本考案の請求範囲を逸脱しない範囲であれば種々変形実施が可能である。
【図面の簡単な説明】
【００１３】
【図１】本考案による肩掛け保持具を肩部に装着した概念図斜視を示す。
【図２】内装部材の概観斜視図を示す。
【図３】外装部材の概観斜視図を示す。
【図４】ストッパーを備えた外装部材の概観図斜視図を示す。
【図５】吊り下げ紐材を備えた外装部材の概観図斜視図を示す。
【符号の説明】
１  内装部材
２  着衣
３  外装部材
４  手荷物に連結される紐材
５  肩の外側方向を示す矢印
６  滑り止め突起
７  磁石
８  滑り止め突起
９  連結材の取り付け部
１０  連結材の取り付け部
１１  磁石
１２  ストッパー
１３  手荷物に連結される紐材
１４  吊り下げ紐材
１５  引っ掛け部材
１６  長さ調節具
１７  吊り下げ紐材の取り付け部
【図１】
0003137115.tif 000003
【図２】
0003137115.tif 000004
【図３】
0003137115.tif 000005
【図４】
0003137115.tif 000006
【図５】
0003137115.tif 000007